(57)【要約】【課題】形状の異なる電子部品に置き換えた場合でも当該電子部品を同様に取り付けることができる回路体及びこの回路体を有する電子部品ユニットを提供する。【解決手段】板金部材１５が有する回路体２０は、第１バスバ２１、第２バスバ２２及び第３バスバ２３を有している。これら第１バスバ２１、第２バスバ２２及び第３バスバ２３のそれぞれには、そのバスバと他のバスバとの間を跨いで接続される電子部品が有する複数のリード線のうちの１つを取り付けるための複数の貫通孔が設けられている。【選択図】図２
2015188040.tif 000002
【特許請求の範囲】
【請求項１】
互いの位置関係が固定された複数のバスバを有する回路体であって、
前記複数のバスバのうちの少なくとも１つのバスバには、当該１つのバスバと他のバスバとの間を跨いで接続される電子部品が有する複数のリード線のうちの１つを取り付けるための複数の取付部が設けられていることを特徴とする回路体。
【請求項２】
前記電子部品が、互いにパラメータ又は機能が異なることにより前記複数のリード線の間隔が異なる複数の電子部品から選択された１つであり、
前記複数の取付部が、これら複数の電子部品のそれぞれの複数のリード線の間隔に応じて配置されていることを特徴とする請求項１に記載の回路体。
【請求項３】
前記複数のバスバのうちの少なくとも一対の隣接するバスバを互いに接続するように当該一対のバスバに一体に設けられた接続部を有することを特徴とする請求項１又は２に記載の回路体。
【請求項４】
請求項１〜３のいずれか一項に記載された回路体と、前記回路体と一体に形成された絶縁性の樹脂成形部材と、前記複数のバスバ間を跨いで接続される１又は複数の電子部品と、を有することを特徴とする電子部品ユニット。
【請求項５】
請求項３に記載された回路体と、前記回路体と一体に形成された絶縁性の樹脂成形部材と、前記複数のバスバ間を跨いで接続される１又は複数の電子部品と、を有する電子部品ユニットにおいて、
前記樹脂成形部材が、前記接続部が露出するように形成されていることを特徴とする電子部品ユニット。
【発明の詳細な説明】
【技術分野】
【０００１】
本発明は、回路体及び電子部品ユニットに関する。
【背景技術】
【０００２】
例えば、特許文献１などにおいて、複数の電子部品を備える電子部品ユニットが開示されている。図１４に示すように、特許文献１に開示されている電子部品ユニット（図中、符号８１５で示す）は、絶縁性材料からなるベース部材８２０と、このベース部材８２０に固定された複数のバスバ８３３Ａ〜８３３Ｆと、を備えている。さらに、電子部品ユニット８１５は、複数の電子部品８４１Ａ〜８４１Ｅを備えており、電子部品８４１Ａ〜８４１Ｅのそれぞれのリード線が複数のバスバ８３３Ａ〜８３３Ｆの所定箇所に接続されて、所定の機能を有する電子回路を構成している。
【先行技術文献】
【特許文献】
【０００３】
【特許文献１】特開２０１３−８４５７号公報
【発明の概要】
【発明が解決しようとする課題】
【０００４】
上述したような電子部品ユニットは、例えば、複数の電子部品としてコンデンサやコイルなどを備えることにより所定の周波数の信号のみ通過を許容する周波数フィルタとして機能するように構成される。このような周波数フィルタとしての電子部品ユニットは、それが用いられる回路箇所等に応じたフィルタ特性に調整する必要がある。具体的には、キャパシタンスやインダクタンス等のパラメータの異なる電子部品や機能の異なる電子部品などに交換してフィルタ特性（通過を許容する周波数範囲）を調整する。しかしながら、電子部品はパラメータや機能が異なると形状も異なる場合が多く、特に、電子部品のリード線間隔が変わってしまい、交換する電子部品に合わせて各バスバを再設計する必要があった。そのため、フィルタ特性毎に電子部品ユニットを設計しなければならず、部材の共通化を図ることが困難であった。
【０００５】
本発明は、かかる問題を解決することを目的としている。即ち、本発明は、形状の異なる電子部品に置き換えた場合でも当該電子部品を同様に取り付けることができる回路体、及びこの回路体を有する電子部品ユニットを提供することを目的とする。
【課題を解決するための手段】
【０００６】
請求項１に記載された発明は、上記目的を達成するために、互いの位置関係が固定された複数のバスバを有する回路体であって、前記複数のバスバのうちの少なくとも１つのバスバには、当該１つのバスバと他のバスバとの間を跨いで接続される電子部品が有する複数のリード線のうちの１つを取り付けるための複数の取付部が設けられていることを特徴とする回路体である。
【０００７】
請求項２に記載された発明は、請求項１に記載された発明において、前記電子部品が、互いにパラメータ又は機能が異なることにより前記複数のリード線の間隔が異なる複数の電子部品から選択された１つであり、前記複数の取付部が、これら複数の電子部品のそれぞれの複数のリード線の間隔に応じて配置されていることを特徴とするものである。
【０００８】
請求項３に記載された発明は、請求項１又は２に記載された発明において、前記複数のバスバのうちの少なくとも一対の隣接するバスバを互いに接続するように当該一対のバスバに一体に設けられた接続部を有することを特徴とするものである。
【０００９】
請求項４に記載された発明は、上記目的を達成するために、請求項１〜３のいずれか一項に記載された回路体と、前記回路体と一体に形成された絶縁性の樹脂成形部材と、前記複数のバスバ間を跨いで接続される１又は複数の電子部品と、を有することを特徴とする電子部品ユニットである。
【００１０】
請求項５に記載された発明は、上記目的を達成するために、請求項３に記載された回路体と、前記回路体と一体に形成された絶縁性の樹脂成形部材と、前記複数のバスバ間を跨いで接続される１又は複数の電子部品と、を有する電子部品ユニットにおいて、前記樹脂成形部材が、前記接続部が露出するように形成されていることを特徴とする電子部品ユニットである。
【発明の効果】
【００１１】
請求項１、４に記載された発明によれば、複数のバスバのうちの少なくとも１つのバスバには、当該１つのバスバと他のバスバとの間を跨いで接続される電子部品が有する複数のリード線のうちの１つを取り付けるための複数の取付部が設けられている。このようにしたことから、バスバ上において複数の取付部が互いに異なる位置に配置され、そのため、これら複数の取付部を、他のバスバに設けられるとともに電子部品が有する複数のリード線のうちの他の１つのリード線を取り付けるための他の取付部との距離が互いに異なるように配置することができる。これにより、バスバに接続する電子部品の複数のリード線の間隔に応じて、複数の取付部から適切な１つの取付部を選択して他の取付部と組み合わせることにより、リード線間隔の異なる電子部品をそれぞれ同様にバスバに接続できる。そのため、形状の異なる電子部品でも同様に取り付けることができる。
【００１２】
請求項２に記載された発明によれば、電子部品が、互いにパラメータ又は機能が異なることにより複数のリード線の間隔が異なる複数の電子部品から選択された１つである。そして、複数の取付部が、これら複数の電子部品のそれぞれの複数のリード線の間隔に応じて配置されている。このようにしたことから、電子部品は、パラメータや機能が異なると形状も異なり、これに伴って複数のリード線間隔が異なることが多いところ、複数の取付部が、取り付けが予定される複数の電子部品のそれぞれの複数のリード線の間隔に応じて配置されているので、これら複数の電子部品をより適切に取り付けることができる。
【００１３】
請求項３、５に記載された発明によれば、複数のバスバのうちの少なくとも一対の隣接するバスバを互いに接続するように当該一対のバスバに一体に設けられた接続部を有している。このようにしたことから、回路構成に応じて接続部をそのまま残したり、切断したりすることにより、一対のバスバを電気的に接続された１つのバスバとしたり、電気的に絶縁された別々のバスバとしたりすることができ、実現可能な回路構成の種類をより多くすることができる。
【図面の簡単な説明】
【００１４】
【図１】本発明の一実施形態の回路体を有する板金部材を説明する図である。
【図２】図１の回路体において対となる貫通孔間の距離を説明する平面図である。
【図３】図１の回路体の変形例の構成を示す平面図である。
【図４】図１の回路体の他の変形例の構成を説明する図である。
【図５】図４の回路体において接続部をそのまま残した構成の回路を説明する図である。
【図６】図４の回路体において接続部を切断した構成の回路を説明する図である。
【図７】本発明の一実施形態の電子部品ユニットの斜視図である。
【図８】図７の電子部品ユニットが備える成形体の作製過程を説明する図である。
【図９】図７の電子部品ユニットが備える成形体を説明する図である。
【図１０】図７の電子部品ユニットの分解斜視図である。
【図１１】図７の電子部品ユニットをハウジングに収納する過程を説明する斜視図である。
【図１２】図７の電子部品ユニットを備えるノイズフィルタ装置の斜視図である。
【図１３】図７の電子部品ユニットの変形例の構成を説明する斜視図である。
【図１４】従来の電子部品ユニットの分解斜視図である。
【発明を実施するための形態】
【００１５】
（回路体及び板金部材の実施形態）
以下、本発明の一実施形態の回路体を有する板金部材について、図１〜図６を参照して説明する。
【００１６】
図１は、本発明の一実施形態の回路体を有する板金部材を説明する図である。具体的には、図１（ａ）は板金部材の斜視図であり、図１（ｂ）は平面図である。図２は、図１の回路体において対となる貫通孔間の距離を説明する平面図である。図３は、図１の回路体の変形例の構成を示す平面図である。図４は、図１の回路体の他の変形例の構成を説明する図である。具体的には、図４（ａ）は他の変形例の回路体を有する板金部材の斜視図であり、図１（ｂ）は平面図である。図５は、図４の回路体において接続部をそのまま残した構成の回路を説明する図である。具体的には、図５（ａ）は回路図であり、図５（ｂ）は回路体の複数のバスバと電子部品との接続を模式的に示す平面図である。図６は、図４の回路体において接続部を切断した構成の回路を説明する図である。具体的には、図６（ａ）は回路図であり、図６（ｂ）は回路体の複数のバスバと電子部品との接続を模式的に示す図である。
【００１７】
本実施形態の回路体は、後述する電子部品ユニットの製造に用いられ、具体的には、電子部品ユニットに組み込まれる複数の接続部材であるバスバを有している。これら複数のバスバは、電子部品ユニットにおいて電子部品が接続されて、電子部品とともに所定の機能を発揮する回路を構成する。例えば、所定の周波数の信号のみ通過を許容する周波数フィルタとして機能する回路を構成する場合、複数のバスバに電子部品としてコンデンサやコイルなどが接続される。
【００１８】
板金部材１５は、例えば、銅板やアルミニウム板などの導電性の平板材（板金）を所定形状に打ち抜くことにより形成される。板金部材１５は、図１に示すように、回路体２０と、フレーム２８とを一体に有している。そして、回路体２０は、複数のバスバとしての第１バスバ２１、第２バスバ２２及び第３バスバ２３と、一対の端子片２４、２５と、ブラケット２７と、を有している。
【００１９】
第１バスバ２１、第２バスバ２２及び第３バスバ２３のそれぞれは、平面視略矩形状（長方形状）の平板状に形成されており、それぞれ長手方向が平行となるように互いに間隔をあけて近接して配置されている。第１バスバ２１は、長手方向の一端部（図１において右側の端部）に幅方向に並ぶ複数の取付部としての貫通孔２１ａ、２１ｂが設けられている。同様に、第２バスバ２２も、長手方向の一端部（図１において右側の端部）に幅方向に並ぶ複数の取付部としての貫通孔２２ａ、２２ｂが設けられている。第３バスバ２３は、長手方向の両端部のそれぞれに幅方向に並ぶ複数の取付部としての貫通孔２３ａ、２３ｂ及び貫通孔２３ｃ、２３ｄが設けられている。また、第３バスバ２３は、後述するブラケット２７と向き合う部分に貫通孔２３ｅが設けられている。各バスバに設けられた貫通孔には、後述するコンデンサ４１やコイル４２、４３のリード線が挿通されるとともに該リード線がはんだ付けにより固定して取り付けられる。
【００２０】
一対の端子片２４、２５のうちの一方の端子片２４は、第１バスバ２１の長手方向の他端部（図１において左側の端部）に幅方向に延在するように連接して設けられている。他方の端子片２５は、第２バスバ２２の長手方向の一端部に一方の端子片２４と同一方向に延在するように連接して設けられている。一対の端子片２４、２５は、互いに間隔をあけて平行に配置されている。
【００２１】
ブラケット２７は、平面視矩形状の平板状に形成されるとともに一端部（図１において上側の端部）が半円状に形成されている。ブラケット２７は、一端部に図示しないねじ等が挿通されるネジ孔２７ａが設けられ、他端部に貫通孔２７ｂが設けられている。ブラケット２７は、他端部が第３バスバと間隔をあけて向き合うように配置されている。ブラケット２７は、ネジ孔２７ａに挿通されたねじ等により、接地（グラウンド接続）される。
【００２２】
フレーム２８は、略四角枠状に形成されたフレーム本体２８ａを有している。フレーム本体２８ａは、第１バスバ２１、第２バスバ２２、第３バスバ２３、及び一対の端子片２４、２５を囲むように配置され、第１バスバ２１、第２バスバ２２及び第３バスバ２３がフレーム本体２８ａから内側に延びる複数の接続枝２８ｂによりフレーム本体２８ａと一体に連接されている。また、フレーム本体２８ａの１つの辺には、ブラケット２７が挿入された形で連接されている。
【００２３】
フレーム２８は、フレーム本体２８ａが複数の接続枝２８ｂによって第１バスバ２１、第２バスバ２２及び第３バスバ２３と連接されていることにより、これら第１バスバ２１、第２バスバ２２及び第３バスバ２３の位置関係を固定している。つまり、第１バスバ２１、第２バスバ２２及び第３バスバ２３は、フレーム２８によって後述する電子部品ユニット１０に組み込まれたときの配置に合わせて位置を固定されている。フレーム２８は、回路体２０が有する複数のバスバ２１、２２、２３に一体に連接され、これら複数のバスバ２１、２２、２３の位置関係を固定している。
【００２４】
次に、回路体２０の作用について説明する。
【００２５】
回路体２０は、後述する電子部品ユニット１０に組み込まれたとき、フレーム２８から第１バスバ２１、第２バスバ２２、第３バスバ２３及びブラケット２７が切り離されて、これらの間を跨いで電子部品が接続される。
【００２６】
ここで、第１バスバ２１と第３バスバ２３とを跨いで接続される電子部品について考える。第１バスバ２１には、電子部品の一方のリード線を取り付けるための貫通孔２１ａ、２１ｂが設けられており、同様に第３バスバ２３にも、電子部品の他方のリード線を取り付けるための貫通孔２３ａ〜２３ｄが設けられている。そして、これら第１バスバ２１と第３バスバ２３とを跨いで電子部品を接続する場合、例えば、図２に示すように、（１）貫通孔２１ｂと貫通孔２３ａとを選択したとき（距離Ｄ１）、（２）貫通孔２１ａと貫通孔２３ｂとを選択したとき（距離Ｄ２）、（３）貫通孔２１ａと貫通孔２３ｄとを選択したとき（距離Ｄ３）、でそれぞれ選択された対となる貫通孔の間隔が異なる（距離Ｄ１＜距離Ｄ２＜距離Ｄ３）。
【００２７】
このように、電子部品の一対のリード線間隔に合わせて、第１バスバ２１の貫通孔２１ａ、２１ｂのいずれか１つ及び第３バスバ２３の貫通孔２３ａ、２３ｂ、２３ｃ、２３ｄのいずれか１つを選択して組み合わせることで、電子部品を適切に取り付けることができる。第２バスバ２２と第３バスバ２３を跨いで接続される電子部品についても同様である。
【００２８】
これにより、例えば、第１バスバ２１と第３バスバ２３とを跨ぐようにコイルを接続した構成において、コイルのインダクタンスを変えたり（即ち、パラメータ変更）、コイルをコンデンサに置き換えたり（即ち、機能変更）することにより、これらバスバに接続する電子部品のリード線間隔が変わった場合でも、電子部品に合わせて複数の貫通孔から一対の貫通孔を選択することで、当該電子部品を適切に取り付けることができる。
【００２９】
以上より、本実施形態によれば、第１バスバ２１、第２バスバ２２及び第３バスバ２３のそれぞれには、そのバスバと他のバスバとの間を跨いで接続される電子部品が有する複数のリード線のうちの１つを取り付けるための複数の貫通孔が設けられている。具体的には、第１バスバ２１において貫通孔２１ａ、２１ｂ、第２バスバ２２において貫通孔２２ａ、２２ｂ、第３バスバ２３において貫通孔２３ａ〜２３ｄである。
【００３０】
このようにしたことから、一のバスバ上において複数の貫通孔が互いに異なる位置に配置され、そのため、これら複数の貫通孔を、他のバスバに設けられるとともに電子部品が有する複数のリード線のうちの他の１つのリード線を取り付けるための他の貫通孔との距離が互いに異なるように配置することができる。これにより、バスバに接続する電子部品の複数のリード線の間隔に応じて、複数の貫通孔から適切な１つの貫通孔を選択して他の貫通孔と組み合わせることにより、リード線間隔の異なる電子部品をそれぞれ同様にバスバに接続できる。そのため、形状の異なる電子部品でも同様に取り付けることができる。したがって、複数種類の電子部品ユニットにおいて、回路体２０を共通に用いることができる。
【００３１】
また、第１バスバ２１、第２バスバ２２及び第３バスバ２３を跨いで取り付けられるコイルやコンデンサなどの電子部品が、互いにパラメータ又は機能が異なることにより複数のリード線の間隔が異なる複数の電子部品から選択された１つである。そして、複数の貫通孔が、これら複数の電子部品のそれぞれの複数のリード線の間隔に応じて配置されている。このようにしたことから、電子部品は、パラメータや機能が異なると形状も異なり、これに伴って複数のリード線間隔が異なることが多いところ、複数の貫通孔が、取り付けが予定される複数の電子部品のそれぞれの複数のリード線の間隔に応じて配置されているので、これら複数の電子部品をより適切に取り付けることができる。
【００３２】
上述した実施形態では、第１バスバ２１、第２バスバ２２及び第３バスバ２３のそれぞれに複数の貫通孔が設けられた構成であったがこれに限定されるものではない。例えば、図３に示すように、１つの貫通孔２１ａが設けられた第１バスバ２１Ａと、１つの貫通孔２２ａが設けられ第２バスバ２２Ａと、複数の貫通孔２３ａ〜２３ｅが設けられた第３バスバ２３と、を有する回路体２０Ａ、及び当該回路体２０Ａを有する板金部材１５Ａとしてもよい。このような回路体２０Ａにおいても、第１バスバ２１Ａと第３バスバ２３とを跨いで接続される電子部品に合わせて、第３バスバ２３の複数の貫通孔２３ａ〜２３ｄのうちから第１バスバ２１Ａの貫通孔２１ａと組み合わせる貫通孔を選択することにより、電子部品を適切に取り付けることができる。第２バスバ２２Ａと第３バスバ２３を跨いで接続される電子部品についても同様である。つまり、複数のバスバのうちの少なくとも１つのバスバには、当該１つのバスバと他のバスバとの間を跨いで接続される電子部品が有する複数のリード線のうちの１つを取り付けるための複数の貫通孔が設けられていれば、本発明の目的に反しない限り、回路体の構成は任意である。
【００３３】
また、上述した実施形態では、リード線が取り付けられる取付部としての貫通孔を備えた構成であったが、これに限定されるものではない。例えば、貫通孔に代えて、バスバの表面に、酸化皮膜を除去したり予めはんだを盛りつけたりするなどのリード線を取り付けるための表面処理などを施した取付部を設けた構成等としてもよく、本発明の目的に反しない限り、取付部の構成は任意である。
【００３４】
また、上述した実施形態では、第２バスバ２２と第３バスバ２３とが電気的に切断された構成であったが、これに限定されるものではない。例えば、図４に示すように、互いに隣接する第２バスバ２２と第３バスバ２３とを電気的に接続するように、第２バスバ２２と第３バスバ２３との間にこれらと一体に設けられた接続部２６を有する回路体２０Ｂを有する板金部材１５Ｂとしてもよい。この接続部２６は、例えば、第２バスバ２２及び第３バスバ２３より薄く形成されていたり、予め切れ込みが入れられていたりするなど、カッターなどの切断工具などにより容易に切断可能に形成されている。
【００３５】
上記板金部材１５Ｂの回路体２０Ｂを用いて周波数フィルタを構成する場合、例えば、図５（ａ）、図６（ａ）に示す回路が考えられる。図５（ａ）は、周波数フィルタの回路図であり、図５（ｂ）は、板金部材１５Ｂからフレーム２８を取り除いて得た回路体２０Ｂの複数のバスバに電子部品を接続した状態を模式的に示す平面図である。図６（ａ）、（ｂ）も同様である。
【００３６】
回路体２０Ｂにおいて、図５（ａ）に示す回路を採用した場合は、接続部２６を切断せずにそのまま残して第２バスバ２２と第３バスバ２３とを接続部２６により電気的に接続された状態とし、図５（ｂ）に模式的に示すように、第１バスバ２１と第３バスバ２３とを跨ぐようにコイルＬを接続し、第３バスバ２３とブラケット２７とを跨ぐようにコンデンサＣを接続する。
【００３７】
または、回路体２０Ｂにおいて、図６（ａ）に示す回路を採用した場合は、接続部２６を切断して第２バスバ２２と第３バスバ２３とを電気的に切断された状態とし、つまり、上述した回路体２０と同一の構成として、図６（ｂ）に模式的に示すように、第１バスバ２１と第３バスバ２３とを跨ぐようにコイルＬ１を接続し、第２バスバ２２と第３バスバ２３とを跨ぐようにコイルＬ２を接続し、第３バスバ２３とブラケット２７とを跨ぐようにコンデンサＣを接続する。
【００３８】
このように、回路構成に応じて、接続部２６をそのまま残したり切断したりすることで、１種類の回路体２０Ｂを用いて複数種類の回路構成を実現することができる。
【００３９】
このように、回路体２０Ｂは、回路構成に応じて接続部２６をそのまま残したり、切断したりすることにより、第２バスバ２２及び第３バスバ２３を電気的に接続された１つのバスバとしたり、電気的に絶縁された別々のバスバとしたりすることができ、実現可能な回路構成の種類をより多くすることができる。したがって、複数種類の電子部品ユニットにおいて、回路体２０を共通に用いることができる。
【００４０】
（電子部品ユニットの実施形態）
以下、本発明の一実施形態の電子部品ユニットについて、図７〜図１２を参照して説明する。
【００４１】
図７は、本発明の一実施形態の電子部品ユニットの斜視図である。具体的には、図７（ａ）は一の方向から見た斜視図であり、図７（ｂ）は他の方向から見た斜視図である。図８は、図７の電子部品ユニットが備える成形体の作製過程を説明する図である。具体的には、図８（ａ）は板金部材と樹脂成形部材とを一体にインサート成形したものの斜視図であり、図８（ｂ）は平面図である。図９は、図７の電子部品ユニットが備える成形体を説明する図である。具体的には、図９（ａ）は成形体の斜視図であり、図９（ｂ）は平面図である。図１０は、図７の電子部品ユニットの分解斜視図である。具体的には、図１０（ａ）は一の方向から見た斜視図であり、図１０（ｂ）は他の方向から見た斜視図である。図１１は、図７の電子部品ユニットをハウジングに収納する過程を説明する斜視図である。具体的には、図１１（ａ）は一の方向から見た斜視図であり、図１１（ｂ）は他の方向から見た斜視図である。図１２は、図７の電子部品ユニットを備えるノイズフィルタ装置の斜視図である。具体的には、図１２（ａ）は一の方向から見た斜視図であり、図１２（ｂ）は他の方向から見た斜視図である。
【００４２】
本実施形態の電子部品ユニットは、上述した板金部材１５が有する回路体２０を有し、回路体２０の複数のバスバに電子部品が接続されて所定の機能を発揮する回路を構成する。本実施形態においては電子部品としてコンデンサ及びコイルを備え、所定の周波数の信号のみ通過を許容する周波数フィルタとして機能する回路を構成する。本実施形態の電子部品ユニットは、一例として、図６（ａ）に示す回路を構成する。
【００４３】
図７（ａ）、（ｂ）に示すように、電子部品ユニット１０は、成形体３０と、電子部品としてのコンデンサ４１及びコイル４２、４３とを備えている。
【００４４】
成形体３０は、上述した回路体２０（即ち、第１バスバ２１、第２バスバ２２、第３バスバ２３、一対の端子片２４、２５及びブラケット２７）と、プラスチックなどの絶縁性を有する樹脂材料からなる樹脂成形部材３１と、を有している。
【００４５】
樹脂成形部材３１は、概ね平板状に形成されており、第１バスバ２１、第２バスバ２２、第３バスバ２３及びブラケット２７の他端部を覆い、一対の端子片２４、２５及びブラケット２７の一端部が突出するように形成されている。また、樹脂成形部材３１は、第１バスバ２１、第２バスバ２２、第３バスバ２３及びブラケット２７のそれぞれに設けられた複数の貫通孔が露出するように形成されている。本実施形態において、第１バスバ２１の貫通孔２１ａ、２１ｂ、第２バスバ２２の貫通孔２２ａ、２２ｂ及び第３バスバ２３の貫通孔２３ａ〜２３ｅの全てが露出されている。これ以外にも、コンデンサ４１及びコイル４２、４３のリード線が取り付けられる貫通孔のみ露出するように樹脂成形部材３１を形成してもよい。また、上述した回路体２０Ｂを採用した構成の場合、接続部２６も露出するように形成されていてもよい。これにより、事後的に接続部２６を切断することができ、回路構成の選択自由度を高めることができる。樹脂成形部材３１の表面には取り付けられる電子部品の形状に合わせた突起などが形成されている。
【００４６】
樹脂成形部材３１は、第１バスバ２１、第２バスバ２２及び第３バスバ２３を覆うことにより、これら第１バスバ２１、第２バスバ２２及び第３バスバ２３の位置関係を固定している。つまり、第１バスバ２１、第２バスバ２２及び第３バスバ２３は、樹脂成形部材３１によって当該電子部品ユニット１０に組み込まれたときの配置に合わせて位置を固定されている。
【００４７】
成形体３０は、図８（ａ）、（ｂ）に示すように、上述した回路体２０を有する板金部材１５と樹脂成形部材３１とを一体にインサート成形したのち、図９（ａ）、（ｂ）に示すように、板金部材１５のフレーム２８における樹脂成形部材３１から露出している部分を切断して第１バスバ２１、第２バスバ２２、第３バスバ２３及びブラケット２７をそれぞれ別体とし、一対の端子片２４、２５及びブラケット２７を所定形状に折り曲げて作製される。
【００４８】
コンデンサ４１は、例えば、積層セラミックコンデンサやフィルムコンデンサなどであり、一対のリード線４１ａ、４１ｂを有している。図１０に示すように、コンデンサ４１は、一方のリード線４１ａが第３バスバ２３の貫通孔２３ｅに取り付けられ、他方のリード線４１ｂがブラケット２７の貫通孔２７ｂに取り付けられて、第３バスバ２３とブラケット２７とを跨いで接続されている。
【００４９】
コイル４２、４３は、例えば、トロイダルコアにエナメル被覆銅線を所定回数巻き付けて構成されている。コイル４２は一対のリード線４２ａ、４２ｂを有し、コイル４３は一対のリード線４３ａ、４３ｂを有している。図１０に示すように、コイル４２は、一方のリード線４２ａが第１バスバ２１の貫通孔２１ｂに取り付けられ、他方のリード線４２ｂが第３バスバ２３の貫通孔２３ａに取り付けられて、第１バスバ２１と第３バスバ２３とを跨いで接続されている。コイル４３は、一方のリード線４３ａが第２バスバ２２の貫通孔２２ｂに取り付けられ、他方のリード線４３ｂが第３バスバ２３の貫通孔２３ｃに取り付けられて、第２バスバ２２と第３バスバ２３とを跨いで接続されている。
【００５０】
電子部品ユニット１０は、単体で周波数フィルタ部品として用いられてもよいが、例えば、図１１、図１２に示すように、電子部品ユニット１０をハウジング５０に収容してなるノイズフィルタ装置６０として用いられてもよい。ハウジング５０は、１つの壁部５１ａが開閉可能に設けられた本体部５１と、本体部５１における当該１つの壁部５１ａと対向する壁部５１ｂに突出して設けられた筒状の嵌合部５２と、を有している。電子部品ユニット１０は、一対の端子片２４、２５側からハウジング５０に収容されて、これら一対の端子片２４、２５が嵌合部５２内に位置づけられる。これにより、ノイズフィルタ装置６０は、嵌合部５２に図示しない相手方コネクタが嵌合されると一対の端子片２４、２５が、相手方コネクタの端子と接触して電気的に接続されて、所定の周波数の信号のみ通過を許容する周波数フィルタ、即ち、所定の周波数以外の信号の通過を抑制するノイズフィルタとして機能する。
【００５１】
以上より、本実施形態によれば、電子部品ユニット１０は、上述した第１バスバ２１、第２バスバ２２及び第３バスバ２３を有する回路体２０を有している。そして、第１バスバ２１、第２バスバ２２及び第３バスバ２３のそれぞれには、そのバスバと他のバスバとの間を跨いで接続される電子部品が有する複数のリード線のうちの１つを取り付けるための複数の貫通孔が設けられている。具体的には、第１バスバ２１において貫通孔２１ａ、２１ｂ、第２バスバ２２において貫通孔２２ａ、２２ｂ、第３バスバ２３において貫通孔２３ａ〜２３ｄである。
【００５２】
このようにしたことから、バスバ上において複数の貫通孔が互いに異なる位置に配置され、そのため、これら複数の貫通孔を、他のバスバに設けられるとともに電子部品が有する複数のリード線のうちの他の１つのリード線を取り付けるための他の貫通孔との距離が互いに異なるように配置することができる。これにより、バスバに接続する電子部品の複数のリード線の間隔に応じて、複数の貫通孔から適切な１つの貫通孔を選択して他の貫通孔と組み合わせることにより、リード線間隔の異なる電子部品をそれぞれ同様にバスバに接続できる。そのため、形状の異なる電子部品が取り付けられる複数種類の電子部品ユニット間で、共通の回路体２０を用いることができる。したがって、部材の共通化により製造コストを低減できる。
【００５３】
以上、本発明について、好ましい実施形態を挙げて説明したが、本発明の回路体及び電子部品ユニットは上記実施形態の構成に限定されるものではない。
【００５４】
例えば、上述した実施形態では、電子部品ユニット１０において、樹脂成形部材３１の表面に電子部品の形状に合わせた突起を設けていたが、これに限定されるものではない。このような突起を設けると成形体３０に取り付け可能な電子部品の形状がある程度制約されてしまうが、例えば、図１３に示すように、表面が平面状に形成された樹脂成形部材３１Ａを有する成形体３０Ａを備えた電子部品ユニット１０Ａとすることで、取り付け可能な電子部品の形状の制約を緩和することができる。このようにすることで、形状の異なる電子部品が取り付けられる電子部品ユニット間で、これら成形体３０Ａを共通に用いることができる。
【００５５】
上述した実施形態は本発明の代表的な形態を示したに過ぎず、本発明は、実施形態に限定されるものではない。即ち、当業者は、従来公知の知見に従い、本発明の骨子を逸脱しない範囲で種々変形して実施することができる。かかる変形によってもなお本発明の回路体及び電子部品ユニットの構成を具備する限り、勿論、本発明の範疇に含まれるものである。
【符号の説明】
【００５６】
１０、１０Ａ    電子部品ユニット
１５、１５Ａ、１５Ｂ    板金部材
２０、２０Ａ、２０Ｂ    回路体
２１、２１Ａ    第１バスバ
２１ａ、２１ｂ  貫通孔（取付部）
２２、２２Ａ    第２バスバ
２２ａ、２２ｂ  貫通孔（取付部）
２３            第３バスバ
２３ａ〜２３ｄ  貫通孔（取付部）
２３ｅ          貫通孔
２４、２５      端子片
２６            接続部
２７            ブラケット
２７ｂ          貫通孔
２８            フレーム
３０、３０Ａ    成形体
３１、３１Ａ    樹脂成形部材
４１            コンデンサ
４１ａ、４１ｂ  リード線
４２            コイル（電子部品）
４２ａ、４２ｂ  リード線
４３            コイル（電子部品）
４３ａ、４３ｂ  リード線
５０            ハウジング
６０            ノイズフィルタ装置
【図１】
2015188040.tif 000003
【図２】
2015188040.tif 000004
【図３】
2015188040.tif 000005
【図４】
2015188040.tif 000006
【図５】
2015188040.tif 000007
【図６】
2015188040.tif 000008
【図７】
2015188040.tif 000009
【図８】
2015188040.tif 000010
【図９】
2015188040.tif 000011
【図１０】
2015188040.tif 000012
【図１１】
2015188040.tif 000013
【図１２】
2015188040.tif 000014
【図１３】
2015188040.tif 000015
【図１４】
2015188040.tif 000016